(57)【要約】【課題】利便性の高い入退室管理システムを得る。【解決手段】個人識別情報を予め格納するＩＤカードと、通行扉に設置され、ＩＤカードから取得した個人識別情報と通行扉の解錠を許可する個人識別情報とを照合することにより解錠制御するＩＤ識別管理装置１、１１と、ＩＤ識別管理装置１、１１と共有ネットワーク上で接続された共有接続端末２とを備え、共有接続端末２は、稼働開始時および稼働終了時に稼働状態を通知する稼働状態信号を出力し、ＩＤ識別管理装置１、１１は、稼働状態信号に基づいて稼働状態を管理する稼働状態管理手段１と、ＩＤカードから個人識別情報を取得した場合に、稼働状態管理手段１から個人識別情報に対応する共有接続端末の稼働状態を取得し、稼働状態を表示する表示手段１１とを含む。【選択図】　　　　図１
2004139409.tif 000002
【特許請求の範囲】
【請求項１】
部屋の通行扉の施錠／解錠制御を行い、前記部屋の入退室を管理する入退室管理システムであって、
個人識別情報を予め格納するＩＤカードと、
前記通行扉に設置され、前記ＩＤカードから取得した個人識別情報と前記通行扉の解錠を許可する個人識別情報とを照合することにより前記解錠制御するＩＤ識別管理装置と、
前記ＩＤ識別管理装置と共有ネットワーク上で接続された共有接続端末とを備え、
前記共有接続端末は、稼働開始時および稼働終了時に稼働状態を通知する稼働状態信号を出力し、
前記ＩＤ識別管理装置は、
前記稼働状態信号に基づいて前記稼働状態を管理する稼働状態管理手段と、
前記ＩＤカードから前記個人識別情報を取得した場合に、前記稼働状態管理手段から前記個人識別情報に対応する前記共有接続端末の稼働状態を取得し、前記稼働状態を表示する表示手段とを含むことを特徴とする入退室管理システム。
【請求項２】
前記共有ネットワークとネットワーク変換器を介して接続された共有外接続端末を備え、
前記ネットワーク変換器は、前記共有外接続端末の稼働開始時および稼働終了時に稼働状態を通知する稼働状態信号を出力し、
前記稼働状態管理手段は、前記ネットワーク変換器から出力された稼働状態信号に基づいて前記共有外接続端末の稼働状態を管理し、
前記表示手段は、前記ＩＤカードから前記個人識別情報を取得した場合に、前記稼働状態管理手段から前記個人識別情報に対応する前記共有外接続端末の稼働状態を取得し、前記稼働状態を表示することを特徴とする請求項１に記載の入退室管理システム。
【請求項３】
前記表示手段は、
前記部屋から退室時、前記個人識別情報に対応した端末の稼働状態を通知させるための通知指令信号を前記稼働状態管理手段に出力し、前記通知指令信号に基づいて出力された前記稼働状態を示す稼働状態信号が稼働中を示す場合に、稼働中であることを注意するためのガイダンスを表示することを特徴とする請求項１または請求項２に記載の入退室管理システム。
【請求項４】
前記ＩＤ識別管理装置は、
前記個人識別状態に対応した端末を稼働制御する制御手段を備え、
前記制御手段は、
前記部屋に入室時、前記端末を稼働させるための稼働信号を出力し、
前記部屋から退室時、前記端末の稼働状態を通知させるための通知指令信号を前記稼働状態管理手段に出力し、前記通知指令信号に基づいて出力された前記稼働状態を示す稼働状態信号が稼働中を示す場合に、前記端末の稼働を終了させるための稼働終了信号を出力することを特徴とする請求項１または請求項２に記載の入退室管理システム。
【請求項５】
前記ＩＤ識別管理装置は、
前記端末の稼働制御を許可するための制御条件を設定する制御条件設定手段を備え、
前記制御手段は、
前記制御条件設定手段に稼働制御を許可する設定がされた端末を対象に、稼働制御を行うことを特徴とする請求項４に記載の入退室管理システム。
【発明の詳細な説明】
【０００１】
【発明の属する技術分野】
この発明は、ビル内の一般事務室などの通行扉に設置され、磁気カードやＩＣカードなどのＩＤカードに格納された個人識別情報により一般事務室内への入室許可／不許可を判断する入退室管理システムに関するもので、特に、一般事務室内に設置されたパーソナルコンピュータなどのＯＡ機器の監視機能を付加したものである。
【０００２】
【従来の技術】
従来の入退室管理システムは、部屋の内側と外側にそれぞれ個人識別情報判別手段を設けて、それらの個人識別情報の判別に基づいて入退室を管理している。また、部屋内に侵入センサを設けるとともに、外側の個人識別情報判別手段に監視モードを設定入力する釦を設ける。内側の個人識別情報判別手段にて行った個人識別情報の判別がＯＫとなった後、所定時間内に外側の個人識別情報判別手段の釦を操作することにより、侵入監視を開始するとともに部屋内照明を消灯制御する。侵入監視開始後、外側の個人識別情報判別手段にて行った個人識別情報の判別がＯＫとなった後、侵入監視を終了するとともに部屋内照明を点灯制御する（例えば、特許文献１参照）。
【０００３】
【特許文献１】
特許２５５６９３１号公報（第５頁、第３図）
【０００４】
【発明が解決しようとする課題】
従来の入退室管理システムは以上のように、パーソナルコンピュータなどのＯＡ機器が近年１人１台相当にまで普及が進んでいるにも関わらず、その監視機能が付加されていない。したがって個人識別情報により、部屋への入室、部屋からの退室、最終退室が認められた場合のＯＡ機器の電源起動／終了が別途必要となる。特に退室・最終退室時には、ＯＡ機器の電源がオフとなっているか確認する作業が発生したり、電源を落とし忘れて帰宅してしまうことが発生し、省エネの観点から見ても利便性に優れたものではないという問題点があった。
【０００５】
この発明は上記のような問題点を解決するためになされたもので、利便性の高い入退室管理システムを得ることを目的とする。
【０００６】
【課題を解決するための手段】
この発明に係る入退室管理システムは、個人識別情報を予め格納するＩＤカードと、通行扉に設置され、ＩＤカードから取得した個人識別情報と通行扉の解錠を許可する個人識別情報とを照合することにより解錠制御するＩＤ識別管理装置と、ＩＤ識別管理装置と共有ネットワーク上で接続された共有接続端末とを備え、共有接続端末は、稼働開始時および稼働終了時に稼働状態を通知する稼働状態信号を出力し、ＩＤ識別管理装置は、稼働状態信号に基づいて稼働状態を管理する稼働状態管理手段と、ＩＤカードから個人識別情報を取得した場合に、稼働状態管理手段から個人識別情報に対応する共有接続端末の稼働状態を取得し、稼働状態を表示する表示手段とを含むものである。
【０００７】
【発明の実施の形態】
実施の形態１．
以下、図面を参照しながら、この発明の実施の形態１について詳細に説明する。図１はこの発明の実施の形態１を示す入退室管理システムの接続構成図である。
【０００８】
図１において、入退室管理システムは、ＩＤ識別装置１と、共有ネットワーク上に接続されたパーソナルコンピュータなどのＯＡ機器（共有接続端末）２と、ルータなどのネットワーク変換器４を介して接続され、共有ネットワーク以外に接続されたパーソナルコンピュータなどのＯＡ機器（共有外接続端末）３と、通行利用者の登録や管理対象のＯＡ機器２、３を登録するためのインターフェースとなる登録端末５とによって構成される。
ＩＤ識別装置１は、通行利用者の通行扉の通行の許可／不許可およびＯＡ機器の稼働状態を管理している。ＩＤ識別装置１には、磁気カードやＩＣカードなどのＩＤカードからの個人識別情報（ＩＤ番号）の読み取り、ＯＡ機器２、３の稼働状態表示・制御を行うＩＤ識別端末１１と、通行扉を施錠する電気錠１２とが接続されている。
【０００９】
図２はこの発明の実施の形態１を示す入退室管理システムの各装置を示す配置図である。
図２において、部屋の通行扉１０１は電気錠１２によって施錠されており、部屋の外側にはＩＤ番号を検知し、電気錠１２の施錠／解錠制御するＩＤ識別端末１１が設置されている。
部屋内には、各個人が使用するＯＡ機器３が設置され、ＩＤ識別端末１１によりＯＡ機器３の稼働開始／終了が制御される。
【００１０】
図３はこの発明の実施の形態１の通行利用者およびＯＡ機器２、３の管理テーブルを示す説明図である。
図３（ａ）において、ＩＤ識別装置１には、電気錠１２の解錠を許可し、部屋内への通行を許可する人を管理するテーブルを持っており、テーブルには、ＩＤ番号、利用者名、利用者の所属部門が登録されている。
さらに、図３（ｂ）において、ＩＤ識別装置１には、入退室管理システムでの管理対象のＯＡ機器２、３を管理するテーブルも持っており、テーブルには、ＯＡ機器２、３の機器番号、機器名、ＯＡ機器２、３の使用者のＩＤ番号、ＯＡ機器２、３の管理部門、ＯＡ機器２、３の稼働条件が登録されている。
なお、テーブルへの登録は、登録端末５を使用して行う。
【００１１】
各テーブルに通行利用者やＯＡ機器２、３の情報が登録されたことにより、通行利用者はＩＤ識別端末１１を用いてＯＡ機器２、３の稼働状態の確認や稼働開始／終了の制御を可能とする。
また、各ＯＡ機器２、３は、稼働開始時および稼働終了時には、ＩＤ識別装置１に稼働開始、終了を通知する。なお、ネットワーク変換器４に接続されたＯＡ機器３は、ネットワーク変換器４を介して通知する。
したがって、ＩＤ識別装置１は常に各ＯＡ機器の２、３の稼働状態を管理している。
【００１２】
図４はこの発明の実施の形態１による入退室管理システムの動作を示すフローチャートである。図４において、通行利用者がＩＤ識別端末１１を利用して、ＯＡ機器２、３の稼働確認要求操作（例えば稼働確認するためのボタンが押下される）が行われたか否かを判断する（ステップＳ１）。
ステップＳ１において、操作が行われた場合（すなわち、ＹＥＳ）、ＩＤ識別端末１１は磁気カードやＩＣカードなどに格納されたＩＤ番号を読み取る（ステップＳ２）。
一方、ステップＳ１において、操作が行われなかった場合（すなわち、ＮＯ）、操作が行われるまで待機する。
【００１３】
次に、ＩＤ識別端末１１からＩＤ番号が通知されると、ＩＤ識別装置１は、通行利用者の管理テーブル中に読み取ったＩＤ番号が登録されているか否かを判断する（ステップＳ３）。
ステップＳ３において、ＩＤ番号が登録されている場合（すなわち、ＹＥＳ）、ＯＡ機器２、３の管理テーブルを参照してＩＤ番号に対応するＯＡ機器３をリストアップする（ステップＳ４）。さらに、ＩＤ番号に対応する所属部門の共有ネットワークで接続されたＯＡ機器２をリストアップする（ステップＳ５）。
【００１４】
ここで、図３において、例えばＡさんのＩＤ番号を読み取った場合、ステップＳ４では、ＩＤ番号「１２３４」に対応するＯＡ機器名「機器Ａ」がリストアップされる。
また、ステップＳ５では、ＩＤ番号「１２３４」に対応する所属部門「部門Ｘ」の共有ネットワークで接続されたＯＡ機器名「機器Ｄ」、「機器Ｅ」がリストアップされる。
一方、ステップＳ３において、ＩＤ番号が登録されていない場合（すなわち、ＮＯ）、ＩＤ番号は解錠制御の不許可対象および管理対象外と見なして、図４の処理ルーチンを終了する。
【００１５】
次に、ＩＤ識別端末１１は、ＩＤ識別装置１を参照して、ステップＳ４およびステップＳ５にてリストアップされたＯＡ機器２、３の稼働状態を取得し、取得したＯＡ機器の稼働状態を表示画面に表示する。
次に、ＩＤ識別端末１１は、ＩＤ識別装置１に格納された図３（ｂ）のＯＡ機器の管理テーブルの稼働条件を参照する。リストアップされたＯＡ機器の稼働条件を確認し、稼働条件が「起動／終了許可」と登録されているＯＡ機器が存在するか否かを確認する（ステップＳ７）。
なお、稼働条件で「起動／終了不許可」と登録されているＯＡ機器は、最終退出時などに稼働終了させず、例えば所定時間帯において自動的に運転されている機器である。
ＩＤ識別端末１１は、「起動／終了不許可」と登録されているＯＡ機器を除き、「起動／終了許可」と登録されているＯＡ機器のみを制御対象とする。
【００１６】
ステップＳ７において、稼働条件が「起動／終了許可」と登録されているＯＡ機器が存在する場合（すなわち、ＹＥＳ）、対象のＯＡ機器の起動または稼働終了の制御を行い（ステップＳ８）、ステップＳ６に戻り、取得した他のＯＡ機器の稼働状態の表示、制御を続けて行う。
一方、ステップＳ７において、稼働条件が「起動／終了許可」と登録されているＯＡ機器が存在しない場合（すなわち、ＮＯ）、リストアップされた全てのＯＡ機器の稼働条件の確認を終了したか否かを判断する（ステップＳ９）。
ステップＳ９において、リストアップされた全てのＯＡ機器の稼働条件の確認を終了した場合（すなわち、ＹＥＳ）、図４の処理ルーチンを終了する。
一方、ステップＳ９において、確認が終了していない場合（すなわち、ＮＯ）、ステップＳ６に戻る。
【００１７】
このように、通行利用者が入退室する時、特に入室する時に使用するＩＤ識別装置１に、電気錠１２の制御だけでなく、ＯＡ機器２、３の稼働状態の確認や、ＯＡ機器２、３の起動／終了制御する機能を付加することにより、特に退室時や最終退室時のＯＡ機器２、３の電源確認作業を軽減し、電源の落とし忘れを防止することができる。
なお、本実施の形態では、専用のボタン押下操作などによってＯＡ機器２、３の稼働状態表示および起動／終了制御を行っているが、電気錠１２の解錠操作と組み合わせて行ってもよい。
また、入退室管理システムのＩＤ識別端末１１の多くは、部屋の外側に設置され、部屋の入室者を管理し、退室者の管理は行っていないが、退室時においては、部屋から退室後、部屋の外側のＩＤ識別端末１１を使用してＯＡ機器の稼働状態の確認と稼働終了制御を行ってもよい。
【００１８】
また、本実施の形態では、ＩＤ番号に対応するＯＡ機器の稼働制御を行ったが、退室時に稼働されたままのＯＡ機器を通知するガイダンスをＩＤ識別端末１１に表示させ、退室者に電源の落とし忘れを注意するような簡易なシステムを構成してもよい。
また、起動／終了制御を許可するＯＡ機器、許可しないＯＡ機器を登録しておくことにより、所定時間帯において自動的に運転されるようなＯＡ機器の制御を除外することができる。
【００１９】
【発明の効果】
以上のように、この発明によれば、個人識別情報を予め格納するＩＤカードと、通行扉に設置され、ＩＤカードから取得した個人識別情報と通行扉の解錠を許可する個人識別情報とを照合することにより解錠制御するＩＤ識別管理装置と、ＩＤ識別管理装置と共有ネットワーク上で接続された共有接続端末とを備え、共有接続端末は、稼働開始時および稼働終了時に稼働状態を通知する稼働状態信号を出力し、ＩＤ識別管理装置は、稼働状態信号に基づいて稼働状態を管理する稼働状態管理手段と、ＩＤカードから個人識別情報を取得した場合に、稼働状態管理手段から個人識別情報に対応する共有接続端末の稼働状態を取得し、稼働状態を表示する表示手段を含むので、退室時や最終退室時の端末の電源確認作業を軽減し、電源の落とし忘れを防止することのできる入退室管理システムが得られる効果がある。
【図面の簡単な説明】
【図１】この発明の実施の形態１を示す入退室管理システムの接続構成図である。
【図２】この発明の実施の形態１を示す入退室管理システムの各装置を示す配置図である。
【図３】この発明の実施の形態１の通行利用者およびＯＡ機器の管理テーブルを示す説明図である。
【図４】この発明の実施の形態１による入退室管理システムの動作を示すフローチャートである。
【符号の説明】
１　ＩＤ識別装置、２、３　ＯＡ機器、４　ネットワーク変換器、５　登録端末、１１　ＩＤ識別端末、１２　電気錠、１０１　通行扉。
【図１】
2004139409.tif 000003
【図２】
2004139409.tif 000004
【図３】
2004139409.tif 000005
【図４】
2004139409.tif 000006